(57)【要約】【課題】第三者が連絡先を不正に入手することを防ぐこと。【解決手段】連絡先提示装置１０は、連絡先の提示を希望する依頼者から連絡先の提示要求と依頼者が提示要求する登録者に係る検索項目を受け付け、該受け付けた検索項目に該当する登録者を個人情報データベース１２から検索する検索部１３ｂと、提示要求の対象となった登録者に対して該提示要求に応じるか否かを問い合わせる問合せ処理部１３ｃと、問合せ処理部１３ｃによる問い合わせに対する登録者の返答に応じて連絡先の提示レベルを制御する提示制御部１３ｄとを備える。【選択図】      図２
2004302884.tif 000002
【特許請求の範囲】
【請求項１】
連絡先が登録された複数の登録者の中から依頼者が提示要求する登録者の連絡先を依頼者に提示する連絡先提示装置であって、
前記提示要求の対象となった登録者に対して該提示要求に応じるか否かを問い合わせる問合せ手段と、
前記問合せ手段による問い合わせに対する前記登録者の返答に応じて前記連絡先の提示レベルを制御する提示制御手段と、
を備えたことを特徴とする連絡先提示装置。
【請求項２】
前記問合せ手段は、前記登録者に対して問い合わせをおこなう際に、前記依頼者の情報を添付して前記提示要求に応じるか否かを問い合わせることを特徴とする請求項１に記載の連絡先提示装置。
【請求項３】
前記問合せ手段による問い合わせに対する前記登録者の返答の履歴を記憶する返答履歴記憶手段をさらに備え、
前記提示制御手段は、前記返答履歴記憶手段によって記憶された前記登録者の返答の履歴を参照して前記連絡先を提示するか否かを制御することを特徴とする請求項１または２に記載の連絡先提示装置。
【請求項４】
前記問合せ手段は、前記返答履歴記憶手段によって記憶された前記登録者の返答の履歴が前記連絡先の提示を拒絶するものであった場合に、当該依頼者の提示要求に係る問い合わせを拒絶することを特徴とする請求項３に記載の連絡先提示装置。
【請求項５】
連絡先が登録された複数の登録者の中から依頼者が提示要求する登録者の連絡先を依頼者に提示する方法をコンピュータに実行させる連絡先提示プログラムであって、
前記提示要求の対象となった登録者に対して該提示要求に応じるか否かを問い合わせる問合せ工程と、
前記問合せ工程による問い合わせに対する前記登録者の返答に応じて前記連絡先の提示レベルを制御する提示制御工程と、
をコンピュータに実行させることを特徴とする連絡先提示プログラム。
【発明の詳細な説明】
【０００１】
【発明の属する技術分野】
この発明は、連絡先が登録された複数の登録者の中から依頼者が提示要求する登録者の連絡先を依頼者に提示する連絡先提示装置および連絡先提示プログラムに関し、特に、第三者が連絡先を不正に入手することを防ぐことができる連絡先提示装置および連絡先提示プログラムに関する。
【０００２】
【従来の技術】
従来より、連絡先が登録された複数の登録者の中から依頼者が提示要求する登録者の連絡先を依頼者に提示する連絡先提示装置が知られている（例えば、特許文献１参照。）。具体的には、依頼者が提示要求する登録者に係る検索項目（氏名、年齢、住所などの個人情報）の入力を依頼者から受け付け、該受け付けた検索項目に該当する登録者の連絡先を依頼者に提示するものである。
【０００３】
【特許文献１】
特開２００１−０７５９９４号公報
【０００４】
【発明が解決しようとする課題】
しかしながら、上記の従来技術は、第三者が連絡先を不正に入手することを防ぐことができないという問題点があった。例えば、第三者（携帯電話に代表される迷惑メールを送信することを目的として、不特定多数の携帯電話番号およびメールアドレスを入手しようと意図する第三者）が所定の名簿（氏名、住所などが記載された名簿）を参照して検索項目を入力した場合でも、検索項目が合致した登録者の連絡先を提示してしまうため、第三者が連絡先を不正に入手することを防ぐことができなかった。
【０００５】
そこで、この発明は、上述した従来技術による問題点を解消するためになされたものであり、第三者が連絡先を不正に入手することを防ぐことができる連絡先提示装置および連絡先提示プログラムを提供することを目的とする。
【０００６】
【課題を解決するための手段】
上述した課題を解決し、目的を達成するため、本発明によれば、連絡先が登録された複数の登録者の中から依頼者が提示要求する登録者の連絡先を依頼者に提示する連絡先提示装置であって、前記提示要求の対象となった登録者に対して該提示要求に応じるか否かを問い合わせる問合せ手段と、前記問合せ手段による問い合わせに対する前記登録者の返答に応じて前記連絡先の提示レベルを制御する提示制御手段と、を備えたことを特徴とする。
【０００７】
したがって、本発明によれば、提示要求の対象となった登録者に対して該提示要求に応じるか否かを問い合わせ、問い合わせに対する登録者の返答に応じて連絡先の提示レベルを制御することとしたので、提示要求の対象となった登録者は自らの意思で悪意のある提示要求を排除でき、第三者が連絡先を不正に入手することを防ぐことが可能になる。さらに、これに関連して、提示要求の対象となった登録者が了承する範囲についての連絡先を提示することにより、連絡先を提示要求する依頼者と、提示要求の対象となった登録者との人間関係に応じて連絡先の提示を適切におこなうことが可能になる。
【０００８】
また、本発明では、前記問合せ手段は、前記登録者に対して問い合わせをおこなう際に、前記依頼者の情報を添付して前記提示要求に応じるか否かを問い合わせることを特徴とする。
【０００９】
したがって、本発明によれば、登録者に対して問い合わせをおこなう際に、依頼者の情報を添付して提示要求に応じるか否かを問い合わせることとしたので、提示要求の対象となった登録者が連絡先を提示要求する依頼者を明確に認知して提示レベルを決定することができ、連絡先を提示要求する依頼者と、提示要求の対象となった登録者との人間関係に応じて連絡先の提示をより適切におこなうことが可能になる。
【００１０】
また、本発明では、前記問合せ手段による問い合わせに対する前記登録者の返答の履歴を記憶する返答履歴記憶手段をさらに備え、前記提示制御手段は、前記返答履歴記憶手段によって記憶された前記登録者の返答の履歴を参照して前記連絡先を提示するか否かを制御することを特徴とする。
【００１１】
したがって、本発明によれば、問い合わせに対する登録者の返答の履歴を記憶し、登録者の返答の履歴を参照して連絡先を提示するか否かを制御することとしたので、第三者が連絡先を不正に入手することを防ぎつつ、迅速に連絡先を提示することが可能になる。
【００１２】
また、本発明では、前記問合せ手段は、前記返答履歴記憶手段によって記憶された前記登録者の返答の履歴が前記連絡先の提示を拒絶するものであった場合に、当該依頼者の提示要求に係る問い合わせを拒絶することを特徴とする。
【００１３】
したがって、本発明によれば、登録者の返答の履歴が連絡先の提示を拒絶するものであった場合に、当該依頼者の提示要求に係る問い合わせを拒絶することとしたので、第三者が連絡先を不正に入手することを防ぐことが可能になる。
【００１４】
また、本発明では、連絡先が登録された複数の登録者の中から依頼者が提示要求する登録者の連絡先を依頼者に提示する方法をコンピュータに実行させる連絡先提示プログラムであって、前記提示要求の対象となった登録者に対して該提示要求に応じるか否かを問い合わせる問合せ工程と、前記問合せ工程による問い合わせに対する前記登録者の返答に応じて前記連絡先の提示レベルを制御する提示制御工程と、をコンピュータに実行させることを特徴とする。
【００１５】
したがって、本発明によれば、提示要求の対象となった登録者に対して該提示要求に応じるか否かを問い合わせ、問い合わせに対する登録者の返答に応じて連絡先の提示レベルを制御することとしたので、提示要求の対象となった登録者は自らの意思で悪意のある提示要求を排除でき、第三者が連絡先を不正に入手することを防ぐことがプログラムによって可能になる。
【００１６】
【発明の実施の形態】
以下に添付図面を参照して、この発明に係る連絡先提示装置、連絡先提示方法およびその方法をコンピュータに実行させるプログラムの好適な実施の形態を詳細に説明する。なお、以下では、本実施の形態１に係る連絡先提示装置（連絡先提示方法）を説明した後に、本実施の形態２に係る連絡先提示プログラムを実行するコンピュータシステムを説明し、最後に、他の実施の形態として種々の変形例について説明することとする。
【００１７】
（実施の形態１）
実施の形態１では、Ｗｅｂサイト上において本発明に係る連絡先提示装置（連絡先提示方法）を実施する場合について説明する。なお、ここでは、本実施の形態１に係る連絡先提示装置の概要および主たる特徴を説明した後に、この連絡先提示装置の構成を説明し、最後に、連絡先提示装置による各種処理の手順を説明する。
【００１８】
［概要および主たる特徴］
まず最初に、本実施の形態１に係る連絡先提示装置の概要および主たる特徴を説明する。図１は、本実施の形態に係る連絡先提示装置１０を含んだシステムの構成を示すシステム構成図である。
【００１９】
このシステムは、同図に示すように、連絡先提示装置１０を中心にして、連絡先を提示要求する依頼者の通信端末装置２０と、提示要求の対象となる登録者の通信端末装置３０とを公衆電話網やインターネットなどのネットワーク１を介して相互に通信可能に接続して構成される。なお、通信端末装置２０および通信端末装置３０は、既知のパーソナルコンピュータ、ワークステーション、ＰＨＳ端末、携帯端末、移動体通信端末またはＰＤＡなどの情報処理装置である。
【００２０】
このシステムにおいて、連絡先提示装置１０は、概略的に、連絡先が登録された複数の登録者の中から依頼者が提示要求する登録者の連絡先を依頼者に提示するものである。
【００２１】
ここで、この連絡先提示装置１０は、提示要求の対象となった登録者に対して該提示要求に応じるか否かを問い合わせ、問い合わせに対する登録者の返答に応じて連絡先の提示レベルを制御する連絡先提示処理に主たる特徴があり、かかる連絡先提示処理によって、第三者が連絡先を不正に入手することを防ぐことができるようにしている。
【００２２】
この主たる特徴を具体的に説明すると、第三者（携帯電話に代表される迷惑メールを送信することを目的として、不特定多数の携帯電話番号およびメールアドレスを入手しようと意図する第三者）が連絡先の提示要求をしたとしても、本発明に係る連絡先提示装置１０は、提示要求の対象となった登録者に対して該提示要求に応じるか否かを問い合わせるため、提示要求の対象となった登録者は自らの意思で悪意のある提示要求を排除できる。また、問い合わせに対する登録者の返答に応じて連絡先の提示レベルを制御するため、提示要求の対象となった登録者が了承する範囲についての連絡先を提示することができ、連絡先を提示要求する依頼者と、提示要求の対象となった登録者との人間関係に応じて連絡先の提示を適切におこなうことができる。
【００２３】
したがって、上記した従来技術の例で言えば、依頼者が入力した登録者に係る検索項目に合致した登録者の連絡先を無造作に提示するのではなく、提示要求の対象となった登録者に対して該提示要求に応じるか否かを問い合わせ、問い合わせに対する登録者の返答に応じて連絡先の提示レベルを制御するので、提示要求の対象となった登録者は自らの意思で悪意のある提示要求を排除でき、第三者が連絡先を不正に入手することを防ぐことが可能になる。さらに、これに関連して、提示要求の対象となった登録者が了承する範囲についての連絡先を提示することにより、連絡先を提示要求する依頼者と、提示要求の対象となった登録者との人間関係に応じて連絡先の提示を適切におこなうことが可能になる。
【００２４】
また、本実施の形態に係る連絡先提示装置は、上記の主たる特徴に関連して以下に列挙するような特徴も付加的に有するものである。つまり、本実施の形態では、登録者に対して問い合わせをおこなう際に、依頼者の情報を添付して提示要求に応じるか否かを問い合わせる。すなわち、これによって、提示要求の対象となった登録者が連絡先を提示要求する依頼者を明確に認知して提示レベルを決定することができ、連絡先を提示要求する依頼者と、提示要求の対象となった登録者との人間関係に応じて連絡先の提示をより適切におこなうことが可能になる。
【００２５】
［連絡先提示装置の構成］
次に、本実施の形態１に係る連絡先提示装置の構成を説明する。図２は、本実施の形態１に係る連絡先提示装置の構成を示すブロック図である。この連絡先提示装置１０は、図２に示すように、通信制御ＩＦ部１１と、個人情報データベース１２と、制御部１３とを備える。
【００２６】
このうち、通信制御ＩＦ部１１は、連絡先提示装置１０とネットワーク１との間で、各種情報の通信を制御するものである。
【００２７】
個人情報データベース１２は、個人情報登録部１３ａによって登録された登録者の個人情報を記憶する処理部であり、具体的には、図３に示すように、登録者の氏名、電話番号、メールアドレス、生年月日および住所などの個人情報を記憶する。なお、「住所」または「携帯電話番号」などの登録者の都合により変更される流動的な項目については、履歴管理をおこなう。
【００２８】
制御部１３は、ＯＳ（Ｏｐｅｒａｔｉｎｇ  Ｓｙｓｔｅｍ）などの制御プログラム、各種の処理手順などを規定したプログラムおよび所要データを格納するための内部メモリを有し、これらによって種々の処理を実行する処理部であり、特に本発明に密接に関連するものとしては、機能概念的に、個人情報登録部１３ａと、検索部１３ｂと、問合せ処理部１３ｃと、提示制御部１３ｄとを備える。
【００２９】
このうち、個人情報登録部１３ａは、未登録者から当該サイトの登録を受け付ける処理部である。具体的には、図４（ａ）に示すように、氏名、電話番号、メールアドレスおよび生年月日などの個人情報を登録時の入力項目として受け付け、該受け付けた個人情報を個人情報データベース１２に登録する。
【００３０】
検索部１３ｂは、連絡先の提示を希望する依頼者から連絡先の提示要求と依頼者が提示要求する登録者に係る検索項目（図４（ｂ））を受け付け、該受け付けた検索項目に該当する登録者を個人情報データベース１２から検索する処理部である。また、依頼者が提示要求する登録者に係る検索項目とともに、依頼者の用件（どのような用向きで連絡を取りたいか）を受け付けるものとする。なお、本実施の形態では、個人情報登録部１３ａによって当該サイトに登録された登録者のみが連絡先の提示を要求できるものとする。
【００３１】
問合せ処理部１３ｃは、提示要求の対象となった登録者に対して該提示要求に応じるか否かを問い合わせる処理部である。具体的には、検索部１３ｂによる検索結果（ヒット件数）が５件以内に絞り込まれた場合に、検索項目（図４（ｂ）参照）に該当した登録者に対して依頼者の情報（依頼者の氏名、連絡先および用件）を添付して提示要求に応じるか否かを問い合わせ、さらに、提示要求に応じる場合には、提示レベル（すなわち、レベル１：固定メールアドレス、レベル２：レベル１＋固定電話番号、レベル３：レベル２＋携帯メールアドレス、レベル４：レベル３＋携帯電話番号および住所）を問い合わせる（図４（ｃ）参照）。なお、本実施の形態では、「問合せ処理」をメールのやり取りでおこなうこととする。
【００３２】
このように、「問合せ処理」をおこなうこととしたのは、提示要求の対象となった登録者が自らの意思で悪意のある提示要求を排除し、第三者が連絡先を不正に入手することを防ぐことができるようにするためである。
【００３３】
提示制御部１３ｄは、問合せ処理部１３ｃによる問い合わせに対する登録者の返答に応じて連絡先の提示レベルを制御する処理部である。具体的には、提示要求の対象となった登録者が連絡先の提示を承諾した場合に、連絡先の提示の承諾とともに問い合わせた「提示レベル」に応じて連絡先を依頼者に提示する（図４（ｃ）参照）。
【００３４】
このように、連絡先の提示レベルを制御することとしたのは、提示要求の対象となった登録者が了承する範囲についての連絡先を提示し、連絡先を提示要求する依頼者と、提示要求の対象となった登録者との人間関係に応じて連絡先の提示を適切におこなうことができるようにするためである。
【００３５】
［各種処理の手順］
次に、本実施の形態１に係る連絡先提示装置の処理手順を説明する。図５は、本実施の形態１に係る連絡先提示処理の手順を示すフローチャートである。同図に示すように、依頼者Ａは、連絡先提示装置１０のホームページに依頼者Ａが提示要求する登録者に係る検索項目（図４（ｂ）参照）を入力する（ステップＳ５０１）。また、依頼者Ａは、提示要求する登録者に係る検索項目とともに、自身の用件（どのような用向きで連絡を取りたいか）も入力する。
【００３６】
そして、検索部１３ｂは、連絡先の提示を希望する依頼者Ａから連絡先の提示要求と依頼者Ａが提示要求する登録者に係る検索項目（図４（ｂ））を受け付け、該受け付けた検索項目に該当する登録者を個人情報データベース１２から検索する（ステップＳ５０２）。
【００３７】
ここで、問合せ処理部１３ｃは、検索部１３ｂによる検索結果（ヒット件数）が５件以内に絞り込まれた場合（ステップＳ５０３肯定）に、検索項目に該当した登録者に対して依頼者Ａの情報（依頼者Ａの氏名、連絡先および用件）を添付して提示要求に応じるか否かをメールで問い合わせる（ステップＳ５０４）。さらに、提示要求に応じる場合には、提示レベル（すなわち、レベル１：固定メールアドレス、レベル２：レベル１＋固定電話番号、レベル３：レベル２＋携帯メールアドレス、レベル４：レベル３＋携帯電話番号および住所）を問い合わせる（図４（ｃ）参照）。
【００３８】
そして、Ｃ−２（人違いの相手）は、問合せメールを受信して内容（依頼者Ａの氏名、連絡先および用件）を確認する（ステップＳ５０５）が、Ｃ−２は依頼者Ａを知らないため、「拒絶」の回答を送信し（ステップＳ５０６）、連絡先提示装置１０は、「拒絶」の回答を受信する（ステップＳ５０７）。
【００３９】
一方、Ｃ−１（依頼者Ａが探している相手）は、問合せメールを受信して内容（依頼者Ａの氏名、連絡先および用件）を確認し（ステップＳ５０８）、Ｃ−１は依頼者Ａと旧知の関係であることから依頼者Ａに連絡先を提示することを承諾し（ステップＳ５０９肯定）、「提示レベル４」の連絡先を提示するように連絡先提示装置１０に返信する（ステップＳ５１０）。
【００４０】
そして、提示制御部１３ｄは、問合せ処理部１３ｃによって連絡先の提示の承諾とともに問い合わせた「提示レベル４」の連絡先（Ｃ−１の固定メールアドレス、固定電話番号、携帯メールアドレス、携帯番号および住所）を依頼者Ａにメール送信する（ステップＳ５１１）。
【００４１】
最後に、依頼者Ａは、「提示レベル４」の連絡先（Ｃ−１の固定メールアドレス、固定電話番号、携帯メールアドレス、携帯番号および住所）を受信する（ステップＳ５１２）。
【００４２】
上述してきたように、本実施の形態１に係る連絡先提示装置によれば、提示要求の対象となった登録者は自らの意思で悪意のある提示要求を排除でき、第三者が連絡先を不正に入手することを防ぐことが可能になる。さらに、これに関連して、提示要求の対象となった登録者が了承する範囲についての連絡先を提示することにより、連絡先を提示要求する依頼者と、提示要求の対象となった登録者との人間関係に応じて連絡先の提示を適切におこなうことが可能になる。
【００４３】
また、本実施の形態１に係る連絡先提示装置によれば、提示要求の対象となった登録者が連絡先を提示要求する依頼者を明確に認知して提示レベルを決定することができ、連絡先を提示要求する依頼者と、提示要求の対象となった登録者との人間関係に応じて連絡先の提示をより適切におこなうことが可能になる。
【００４４】
（実施の形態２）
ところで、上記実施の形態１で説明した連絡先提示装置および連絡先提示方法は、あらかじめ用意されたプログラムをパーソナル・コンピュータやワークステーションなどのコンピュータシステムで実行することによって実現することができる。そこで、本実施の形態２では、上記実施の形態１で説明した連絡先提示装置（連絡先提示方法）と同様の機能を有する連絡先提示プログラムを実行するコンピュータシステムについて説明する。
【００４５】
図７は、本実施の形態２に係るコンピュータシステムの構成を示すシステム構成図であり、図８は、このコンピュータシステムにおける本体部の構成を示すブロック図である。図７に示すように、本実施の形態２に係るコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００４６】
また、このコンピュータシステム１００における本体部１０１は、図８に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００４７】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２並びにプリンタ１１３などが接続される。
【００４８】
そして、このコンピュータシステム１００は、所定の記録媒体に記録された連絡先提示プログラムを読み出して実行することで連絡先提示装置（連絡先提示方法）を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な連絡先提示プログラムを記録する、あらゆる記録媒体を含むものである。
【００４９】
すなわち、連絡先提示プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から連絡先提示プログラムを読み出して実行することで連絡先提示装置および連絡先提示方法を実現する。なお、連絡先提示プログラムは、コンピュータシステム１００によって実行されることに限定されるものではなく、他のコンピュータシステム１１１またはサーバ１１２が連絡先提示プログラムを実行する場合や、これらが協働して連絡先提示プログラムを実行するような場合にも、本発明を同様に適用することができる。
【００５０】
（他の実施の形態）
さて、これまで本発明の実施の形態について説明したが、本発明は上述した実施の形態以外にも、上記特許請求の範囲に記載した技術的思想の範囲内において種々の異なる実施の形態にて実施されてもよいものである。
【００５１】
例えば、本実施の形態では、メールをやり取りすることで「問合せ処理」をおこなう場合について説明したが、本発明はこれに限定されるものではなく、あらゆる通信手段について同様に適用することが可能である。
【００５２】
また、本発明では、問い合わせに対する登録者の返答の履歴を記憶し、登録者の返答の履歴を参照して連絡先を提示するか否かを制御する。すなわち、図６に示すように、問い合わせに対する登録者の返答の履歴を返答履歴データベースに記憶し、過去に連絡先の提示の「承認（ＯＫ）」を受けている依頼者には、「問合せ処理」を省略して連絡先を提示することとしたので、第三者が連絡先を不正に入手することを防ぎつつ、迅速に連絡先を提示することが可能になる。
【００５３】
また、本発明では、登録者の返答の履歴が連絡先の提示を拒絶するものであった場合に、当該依頼者の提示要求を拒絶する。すなわち、上記した返答履歴データベース（図６参照）を参照して、過去に連絡先の提示の「拒絶（ＮＧ）」を受けている依頼者の提示要求を拒絶することとしたので、第三者が連絡先を不正に入手することを防ぐことが可能になる。なお、登録者は過去に連絡先の提示の「承認（ＯＫ）」を受けている依頼者に対して、登録者が不正使用と判断した場合には、強制的に連絡先の提示の「拒絶（ＮＧ）」と変更することも可能である。
【００５４】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータ（提示レベル）を含む情報については、特記する場合を除いて任意に変更することができる。
【００５５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５６】
（付記１）連絡先が登録された複数の登録者の中から依頼者が提示要求する登録者の連絡先を依頼者に提示する連絡先提示装置であって、
前記提示要求の対象となった登録者に対して該提示要求に応じるか否かを問い合わせる問合せ手段と、
前記問合せ手段による問い合わせに対する前記登録者の返答に応じて前記連絡先の提示レベルを制御する提示制御手段と、
を備えたことを特徴とする連絡先提示装置。
【００５７】
（付記２）前記問合せ手段は、前記登録者に対して問い合わせをおこなう際に、前記依頼者の情報を添付して前記提示要求に応じるか否かを問い合わせることを特徴とする付記１に記載の連絡先提示装置。
【００５８】
（付記３）前記問合せ手段による問い合わせに対する前記登録者の返答の履歴を記憶する返答履歴記憶手段をさらに備え、
前記提示制御手段は、前記返答履歴記憶手段によって記憶された前記登録者の返答の履歴を参照して前記連絡先を提示するか否かを制御することを特徴とする付記１または２に記載の連絡先提示装置。
【００５９】
（付記４）前記問合せ手段は、前記返答履歴記憶手段によって記憶された前記登録者の返答の履歴が前記連絡先の提示を拒絶するものであった場合に、当該依頼者の提示要求に係る問い合わせを拒絶することを特徴とする付記３に記載の連絡先提示装置。
【００６０】
（付記５）連絡先が登録された複数の登録者の中から依頼者が提示要求する登録者の連絡先を依頼者に提示する連絡先提示方法であって、
前記提示要求の対象となった登録者に対して該提示要求に応じるか否かを問い合わせる問合せ工程と、
前記問合せ工程による問い合わせに対する前記登録者の返答に応じて前記連絡先の提示レベルを制御する提示制御工程と、
を含んだことを特徴とする連絡先提示方法。
【００６１】
（付記６）連絡先が登録された複数の登録者の中から依頼者が提示要求する登録者の連絡先を依頼者に提示する方法をコンピュータに実行させる連絡先提示プログラムであって、
前記提示要求の対象となった登録者に対して該提示要求に応じるか否かを問い合わせる問合せ工程と、
前記問合せ工程による問い合わせに対する前記登録者の返答に応じて前記連絡先の提示レベルを制御する提示制御工程と、
をコンピュータに実行させることを特徴とする連絡先提示プログラム。
【００６２】
【発明の効果】
以上説明したように、本発明によれば、提示要求の対象となった登録者に対して該提示要求に応じるか否かを問い合わせ、問い合わせに対する登録者の返答に応じて連絡先の提示レベルを制御することとしたので、提示要求の対象となった登録者は自らの意思で悪意のある提示要求を排除でき、第三者が連絡先を不正に入手することを防ぐことが可能な連絡先提示装置が得られるという効果を奏する。さらに、これに関連して、提示要求の対象となった登録者が了承する範囲についての連絡先を提示することにより、連絡先を提示要求する依頼者と、提示要求の対象となった登録者との人間関係に応じて連絡先の提示を適切におこなうことが可能になる。
【００６３】
また、本発明によれば、登録者に対して問い合わせをおこなう際に、依頼者の情報を添付して提示要求に応じるか否かを問い合わせることとしたので、提示要求の対象となった登録者が連絡先を提示要求する依頼者を明確に認知して提示レベルを決定することができ、連絡先を提示要求する依頼者と、提示要求の対象となった登録者との人間関係に応じて連絡先の提示をより適切におこなうことが可能な連絡先提示装置が得られるという効果を奏する。
【００６４】
また、本発明によれば、問い合わせに対する登録者の返答の履歴を記憶し、登録者の返答の履歴を参照して連絡先を提示するか否かを制御することとしたので、第三者が連絡先を不正に入手することを防ぎつつ、迅速に連絡先を提示することが可能な連絡先提示装置が得られるという効果を奏する。
【００６５】
また、本発明によれば、登録者の返答の履歴が連絡先の提示を拒絶するものであった場合に、当該依頼者の提示要求に係る問い合わせを拒絶することとしたので、第三者が連絡先を不正に入手することを防ぐことが可能な連絡先提示装置が得られるという効果を奏する。
【００６６】
また、本発明によれば、提示要求の対象となった登録者に対して該提示要求に応じるか否かを問い合わせ、問い合わせに対する登録者の返答に応じて連絡先の提示レベルを制御することとしたので、提示要求の対象となった登録者は自らの意思で悪意のある提示要求を排除でき、第三者が連絡先を不正に入手することを防ぐことが可能な連絡先提示プログラムが得られるという効果を奏する。
【図面の簡単な説明】
【図１】本実施の形態１に係る連絡先提示装置を含んだシステムの構成を示すシステム構成図である。
【図２】本実施の形態１に係る連絡先提示装置の構成を示すブロック図である。
【図３】個人情報データベースに記憶される情報の構成例を示す図である。
【図４】各処理部において扱われるデータを説明するための図である。
【図５】本実施の形態１に係る連絡先提示装置の手順を示すフローチャートである。
【図６】返答履歴データベースに記憶される情報の構成例を示す図である。
【図７】本実施の形態２に係るコンピュータシステムの構成を示すシステム構成図である。
【図８】図７に示したコンピュータシステムにおける本体部の構成を示すブロック図である。
【符号の説明】
１  ネットワーク
１０  連絡先提示装置
１１  通信制御ＩＦ部
１２  個人情報データベース
１３  制御部
１３ａ  個人情報登録部
１３ｂ  検索部
１３ｃ  問合せ処理部
１３ｄ  提示制御部
２０、３０  通信端末装置
１００  コンピュータシステム
１０１  本体部
１０２  ディスプレイ
１０２ａ  表示画面
１０３  キーボード
１０４  マウス
１０５  モデム
１０６  ＬＡＮ／ＷＡＮ
１０７  公衆回線
１０８  ＦＤ
１０９  ＣＤ−ＲＯＭ
１１１  ＰＣ
１１２  サーバ
１１３  プリンタ
１２１  ＣＰＵ
１２２  ＲＡＭ
１２３  ＲＯＭ
１２４  ＨＤＤ
１２５  ＣＤ−ＲＯＭドライブ
１２６  ＦＤドライブ
１２７  Ｉ／Ｏインターフェース
１２８  ＬＡＮインターフェース
【図１】
2004302884.tif 000003
【図２】
2004302884.tif 000004
【図３】
2004302884.tif 000005
【図４】
2004302884.tif 000006
【図５】
2004302884.tif 000007
【図６】
2004302884.tif 000008
【図７】
2004302884.tif 000009
【図８】
2004302884.tif 000010